(57)【特許請求の範囲】
【請求項１】
一定の周期でリフレッシュを行うリフレッシュモード、且つセルフリフレッシュモードを有するダイナミックＲＡＭと、
前記ダイナミックＲＡＭに対して画像データの入出力を行う通常モード、リフレッシュモード、セルフリフレッシュモードの制御を行う画像表示制御部と、
前記画像表示制御部の電源供給停止を行う要求に対して前記画像表示制御部をリフレッシュモードの制御からセルフリフレッシュモードの制御へ遷移させるための第１タイミングの制御信号と、前記画像表示制御部の電源投入を行う要求に対して前記画像表示制御部をセルフリフレッシュモードの制御からリフレッシュモードの制御へ遷移させるための第２タイミングの制御信号を前記画像表示制御部に供給する遷移制御部と、
前記画像表示制御部の電源供給停止に起因して前記ダイナミックＲＡＭに対して前記画像表示制御部のセルフリフレッシュモードが不定になるのを防止する外部回路とを具備し、
前記画像表示制御部は、セルフリフレッシュモードへの遷移要求を格納する第１レジスタと、セルフリフレッシュモードか否かの識別情報を格納する第２レジスタとを有し、前記第１レジスタには前記遷移制御部によりセルフリフレッシュへの遷移要求が書き込まれ、前記第２レジスタには前記遷移要求の後のリフレッシュモード時にセルフリフレッシュモードであるとの識別情報が書き込まれると前記ダイナミックＲＡＭをセルフリフレッシュモードにするように構成されることを特徴とするダイナミックＲＡＭのセルフリフレッシュ制御装置。
【請求項２】
前記画像表示制御部は、さらに、セルフリフレッシュモードからの復帰を要求する第３レジスタを有し、前記画像表示制御部の電源投入時には、前記第１レジスタには前記遷移制御部によりセルフリフレッシュへの遷移要求が書き込まれ、前記第２レジスタには前記遷移要求の後のリフレッシュモード時にセルフリフレッシュモードであるとの識別情報が書き込まれ、前記第３レジスタには前記遷移制御部により前記復帰要求が書き込まれ、前記第３レジスタへの書き込み後に前記画像表示制御部はセルフリフレッシュモードを解除してリフレッシュモードにすることを特徴とする、請求項１に記載のダイナミックＲＡＭのセルフリフレッシュ制御装置。
【請求項３】
前記外部回路は、前記画像表示制御部から出力される行アドレスストローブ信号及び列アドレスストローブ信号の各々と前記遷移制御部から供給される前記第１タイミングの制御信号または前記第２タイミングの制御信号に基づいて生成されるセルフ制御信号との論理積をとって、前記ダイナミックＲＡＭに出力して、前記画像表示制御部への電源供給停止、投入に伴うセルフリフレッシュモードの不定回避、不定回避解除の制御を行うことを特徴とする、請求項１に記載のダイナミックＲＡＭのセルフリフレッシュ制御装置。
【発明の詳細な説明】
【０００１】
【発明の属する技術分野】
本発明は、車載用ＡＶ（オーディオビジュアル）一体機に設けられ且つ画像データを一定時間保持する揮発性メモリに関し、特に、ダイナミックＲＡＭのセルフリフレッシュ制御装置に関する。
【０００２】
【従来の技術】
上記車載用ＡＶ一体機ではナビゲーション、テレビジョン（ＴＶ）、ビデオテープレコーダ（ＶＴＲ）等の画像表示が行われる。これらの画像表示の一つとして、例えば、ＦＭ（周波数変調）放送に多重されるＶＩＣＳ（道路交通情報通信システム）の画像情報がある。この画像情報は、一定間隔で送信されるので、次の送信まで保持しておく必要がある。この画像情報の保持には、スタチックＲＡＭ(Random Access Memory)が使用される。
【０００３】
このスタチックＲＡＭには、これをダイナミックＲＡＭと比較すると、その集積度が低く、ビット当たりの価格が高く、実装面積が大きくなるという問題がある。この問題の解決方法として、スタチックＲＡＭの代わりにダイナミックＲＡＭを用いることが考えられる。これは、１つのメモリセルとして、スタチックＲＡＭが４個のトランジスタを有するフリップフロップからなるのに対してダイナミックＲＡＭが１個のトランジスタと１個のコンデンサからなり集積度が高いためである。
【０００４】
一方、ダイナミックＲＡＭはデータを保持するためにリフレッシュ（データ再書き込み）を一定周期で行う必要があり、主電源遮断時におけるバックアップ時には、以下に説明するように、セルフリフレッシュが必要となる。
図９はダイナミックＲＡＭのセルフリフレッシュを説明する図である。図９（ａ）に示す如く、ダイナミックＲＡＭでは、アドレスを選択するＲＡＳ（Row Address Strobe：行アドレスストローブ）、ＣＡＳ（Column Address Strobe ：列アドレスストローブ）信号において、一定周期、例えば、３０〜６０μｓｅｃの周期で幅６０ｎｓｅｃのリフレッシュモードの処理が行われる。リフレッシュモード間では、要求に応じてデータ転送等の通常モード、画像表示を行う表示モードの処理が行われる。通常モード等中にリフレッシュモードが来て競合する場合にはリフレッシュモードが優先して通常モードの処理が後回しになる。
【０００５】
図９（ｂ）に示す如く、リフレッシュ信号は立ち下がり後、立ち上がるが、図９（ｃ）に示す如く、立ち下がり後、立ち上がりが無いと、ダイナミックＲＡＭは、例えば、１００μｓｅｃ後にセルフリフレッシュモードになり、内部で自動的にリフレッシュが行われる。
次に、自動車のエンジンが停止されると、通常アクセサリ（ＡＣＣ）スイッチもオフにし、バッテリの電力消費を避けるために消費電流が大きな車載用ＡＶ一体機への電源供給が停止される。しかしＡＣＣスイッチがオフになっても、画像データの保持のために、消費電流が小さな上記のダイナミックＲＡＭにバッテリを直接接続させてセルフリフレッシュの機能を持たせることが必要である。
【０００６】
【発明が解決しようとする課題】
ところで、上記のダイナミックＲＡＭのセルフリフレッシュモードを制御する回路は車載用ＡＶ一体機の画像表示を制御する特定用途向け集積回路（ＡＳｉＣ；Application Specific Integrated Circuit)に組み込まれている。この特定用途向け集積回路は消費電流が大きいので車載用ＡＶ一体機の電源供給の停止と同時に停止される。
【０００７】
このため、電源供給の停止直前に、特定用途向け集積回路はダイナミックＲＡＭをセルフリフレッシュモードにしなければならないが、これによって既に決まっている回路の仕様が大幅に変更になると、高コストを招くという問題が発生する。
したがって、本発明は、特定用途向け集積回路の仕様を変えずに、セルフリフレッシュモードを可能にするダイナミックＲＡＭのセルフリフレッシュ制御装置を提供することを目的とする。
【０００８】
【課題を解決するための手段】
本発明は、前記問題点を解決するために、画像データの入出力を行う通常モード、一定の周期でリフレッシュを行うリフレッシュモード、且つセルフリフレッシュモードを有するダイナミックＲＡＭと、前記ダイナミックＲＡＭの通常モード、リフレッシュモード、セルフリフレッシュモードの制御を行う画像表示制御部と、前記画像表示制御部の電源供給停止を行う要求に対して前記画像表示制御部をリフレッシュモードからセルフリフレッシュモードの制御に遷移する第１タイミングを与え、且つ前記画像表示制御部の電源投入を行う要求に対して前記画像表示制御部をセルフリフレッシュモードからリフレッシュモードの制御に遷移する第２タイミングを与える遷移制御部と、前記画像表示制御部の電源供給停止に起因して前記ダイナミックＲＡＭに対して前記画像表示制御部のセルフリフレッシュモードが不定になるのを防止する外部回路とを具備する。
【０００９】
前記画像表示制御部は、セルフリフレッシュモードへの遷移要求を格納する第１レジスタと、セルフリフレッシュモードか否かの識別情報を格納する第２レジスタとを有し、前記第１レジスタには前記遷移制御部によりセルフリフレッシュへの遷移要求が書き込まれ、前記第２レジスタには前記遷移要求の後のリフレッシュモード時にセルフリフレッシュモードであるとの識別情報が書き込まれると前記ダイナミックＲＡＭをセルフリフレッシュモードにする。
【００１０】
前記画像表示制御部は、さらに、セルフリフレッシュモードからの復帰を要求する第３レジスタを有し、前記画像表示制御部の電源投入時には、前記第１レジスタには前記遷移制御部によりセルフリフレッシュへの遷移要求が書き込まれ、前記第２レジスタには前記遷移要求の後のリフレッシュモード時にセルフリフレッシュモードであるとの識別情報が書き込まれ、前記第３レジスタには前記遷移制御部により前記復帰要求が書き込まれ、前記第３レジスタへの書き込み後に前記画像表示制御部はセルフリフレッシュモードを解除してリフレッシュモードにする。
【００１１】
前記外部回路は前記画像表示制御部から出力される行アドレスストローブ信号及び列アドレスストローブ信号の各々と前記遷移制御部によって与えられる第１タイミング、第２タイミングを有するセルフ制御信号との論理積をとって、前記ダイナミックＲＡＭに出力して、前記画像表示制御部への電源供給停止、投入に伴うセルフリフレッシュモードの不定回避、不定回避解除の制御を行う。
【００１２】
この手段により、特定用途向け集積回路により形成される画像表示制御部の仕様を変えずに、ダイナミックＲＡＭをセルフリフレッシュモードにすることが可能になった。スタチックＲＡＭに代わってダイナミックＲＡＭが使用可能になったので、コストが大幅に低減することが可能になった。
【００１３】
【発明の実施の形態】
以下本発明の実施の形態について図面を参照して説明する。
本図１は本発明に係る車載用ＡＶ一体機を示す概略図である。本図に示すように、車載用ＡＶ一体機には全体の制御を行い、且つ特にリフレッシュモードとセルフリフレッシュモードとの間の遷移するタイミングを制御するＣＰＵ（中央演算処理装置）１が設けられてＣＰＵバスに接続される。ＣＰＵバスには画像データを格納し且つセルフリフレッシュモード機能を有する第１ＤＲＡＭ２と、プログラムを格納する第１ＲＯＭ(Read Only Memory)３とが接続され、各々は約４Ｍビットのメモリ容量を有する。第１ＤＲＡＭ２には後述する外部回路２Ａが設けられる。表示を行う第２ＤＲＡＭ４、第２ＤＲＡＭ５、漢字フォントを格納する第２ＲＯＭ６がグラフィックバスに接続され、各々は約４Ｍビットのメモリ容量を有する。車載用ＡＶ一体機における画像表示部７はナビゲーション、テレビジョン、ビデオテープレコーダの表示を行う。画像表示制御部８は２４ポートパラレルポート９を有する特定用途向け集積回路（ＡＳｉＣ）で構成され、ＣＰＵバス、グラフィックバスに接続され、且つ画像表示部７に接続されて、画像の表示制御を行う。なお、画像表示制御部８において、データの処理を行うディジタル部に後述する内部レジスタ８Ａが設けられている。
【００１４】
ＣＰＵ１は、車載用ＡＶ一体機の全体の制御を行っており、特にＣＰＵバスを経由して画像表示制御部８に対する制御も行っている。
ＣＰＵ１と、第１ＤＲＡＭ２と、外部回路２Ａには自動車のバッテリ１０が直接接続され電力が供給される。ＣＰＵ１、第１ＤＲＡＭ２の各々の消費電流は約１００μＡと小さい。なお、外部回路２Ａの消費電流はさらに小さい。ＣＰＵ１と第１ＤＲＡＭ２を除く車載用ＡＶ一体機の部分４、５、６、７、８、９には自動車のＡＣＣスイッチ１１とこれに並列接続されるスイッチ１２とを介してバッテリ１０に接続される。特に、車載用ＡＶ一体機の画像表示制御部８の消費電流は約１０ｍＡであり、ＣＰＵ１と第１ＤＲＡＭ２の消費電流約１００μＡと比較すると非常に大きい。このような構成により、画像表示制御部８には、自車のエンジン停止されアクセサリ（ＡＣＣ）スイッチ１１がオフになっても、以下のように、一定時間だけ電力が供給され続ける。
【００１５】
ＡＣＣスイッチ１１は手動でオン・オフが行われる。ＡＣＣスイッチ１１のオン・オフの監視信号がＣＰＵ１に入力される。さらに、スイッチ１２は、画像表示制御部８の内部レジスタ８Ａからの制御信号に基づいてＣＰＵ１によりオンからオフが行われる。後述するように、ＡＣＣスイッチ１１がオンからオフになってから一定時間後（後述する）にスイッチ１２はオンからオフになり、画像表示制御部８等に対して実際の電力供給の停止を遅延する。なお、後述のように、ＡＣＣスイッチ１１がオフからオンになると同時にスイッチ１２もオフからオンになり、画像表示制御部８等に対して電力が供給される。
【００１６】
図２は第１ＤＲＡＭ２に格納される画像データ例を示す図である。本図に示すように、一例として、第１ＤＲＡＭ２にはＦＭ多重のＶＩＣＳデータとして自動車の行先表示に渋滞表示が重ね表示されるデータが格納される。行先表示は３０分毎に更新され、渋滞表示は５分毎に更新される。行先表示を保存して置かないと、自動車のエンジン停止、始動に伴ってＡＣＣスイッチンのオフからオンにしてその５分後に渋滞表示を入力しても行先表示に重ねられないので無益となる。このため、行先画像情報を、以下に説明する如く、保存して置く必要がある。
【００１７】
図３は図１の第１ＤＲＡＭ２の外部回路２Ａを説明する図である。本図に示す如く、画像表示制御部８と第１ＤＲＡＭ２との間ではアドレスの選択を行うＲＡＳ（Row Address Strobe）、ＣＡＳ（Column Address Strobe)、データ、アドレス、ＯＥ（読出許可）、ＷＥ（書込許可）のラインが設けられている。第１ＤＲＡＭ２の外部回路２Ａは、前述のように、バッテリ１０から直接電源供給が行われ、画像表示制御部８側のＡＳｉＣＲＡＳ、ＡＳｉＣＣＡＳラインの各々にぶら下げられる抵抗２１、２２と、ＡＳｉＣＲＡＳ、ＡＳｉＣＣＡＳラインの各々が一方の入力に接続され且つＣＰＵ１からＣＰＵＳＥＬＦ（セルフ）制御信号を伝送するラインが他方の入力に接続されさらにそれらの出力が、ＤＲＡＭＲＡＳ、ＤＲＡＭＣＡＳラインを介して、第１ＤＲＡＭ２に接続されるＡＮＤ回路２３、２４を具備する。このようにして、リフレッシュモードからセルフリフレッシュモードにして、画像表示制御部８側の電源供給が停止されたときに、ＡＳｉＣＲＡＳ、ＡＳｉＣＣＡＳラインの出力が不安定になるので、ＣＰＵＳＥＬＦ制御信号は安定したＡＳｉＣＲＡＳ、ＡＳｉＣＣＡＳラインの信号を形成するために使用される。
【００１８】
図４は車載用ＡＶ一体機の全体アドレスマップを示す図である。本図に示すように、１６進（ｈ）２４ビットで表される。画像表示制御部８のディジタル部の内部レジスタ８Ａは０ｘ５０００００から０ｘ５００ＦＦＦが割り当てられている。このうち３ビットのレジスタが特に本発明のために、下記表のように使用される。内部レジスタ８Ａには十分余裕があるので、この程度の追加使用に対しては、画像表示制御部８の仕様の変更は何ら必要とならない。
【００１９】
【表１】
0003727177.tif 000002
【００２０】
表１に示す如く、アドレス０ｘ５０００２０の内部レジスタに格納される信号名ＳＥＬＦ−ＳＴＡＲＴ〔０〕は、１６ビットの最下位ビットのデータであって、アクティブ状態「１」で第１ＤＲＡＭ２をセルフリフレッシュへ遷移要求するビットを示す。このアクティブ状態又は非アクティブ状態への制御がＣＰＵ１により行われる。
【００２１】
また、アドレス０ｘ５０００２２の内部レジスタに格納される信号名ＳＥＬＦ−ＥＮＤ〔０〕は、１６ビットの最下位ビットのデータであって、アクティブ状態「１」で第１ＤＲＡＭ２をセルフリフレッシュモードから通常モード等に復帰要求するビットを示す。このアクティブ状態又は非アクティブ状態への制御がＣＰＵ１により行われる。
【００２２】
また、アドレス０ｘ５０００２４の内部レジスタに格納される信号名ＳＥＬＦ−ＭＯＤＥ〔０〕は、１６ビットの最下位ビットのデータであって、アクティブ状態「０」で第１ＤＲＡＭ２の通常モード、表示モードを、リフレッシュモードと識別して、示し、他方、アクティブ状態「１」で第１ＤＲＡＭ２のセルフリフレッシュモードを示す。ＣＰＵ１はこのアクティブ状態を見てＣＰＵＳＥＬＦ制御信号を形成する。
【００２３】
図５は電源供給停止時のシーケンスを説明する図である。本図に示す如く、信号名ＳＥＬＦ−ＳＴＡＲＴ〔０〕が「０」のときに、ＡＣＣスイッチ１１がオンからオフにされると、ＡＣＣスイッチ１１を監視しているＣＰＵ１によりアドレス０ｘ５０００２０の内部レジスタのＳＥＬＦ−ＳＴＡＲＴ〔０〕が「０」から「１」に設定され第１ＤＲＡＭ２のセルフリフレッシュモードへの遷移が開始される。
【００２４】
ＳＥＬＦＭＯＤＥ〔０〕は、信号名ＳＥＬＦ−ＳＴＡＲＴ〔０〕が「１」のときに、リフレッシュモードが終了したら、「０」から「１」となる。セルフリフレッシュモードに遷移する。
リフレッシュモード前にＯＳＤ（On Screen Display)タイミングの入力があると、表示モードが開始する。
【００２５】
ＡＳｉＣＲＡＳ、ＡＳｉＣＣＡＳラインの信号はリフレッシュモードで「１」から「０」になり、ＡＳｉＣＣＡＳラインの信号がＡＳｉＣＲＡＳラインの信号よりも先に「０」となる。ＳＥＬＦＭＯＤＥ〔０〕が「１」の場合には、ＡＳｉＣＲＡＳ、ＡＳｉＣＣＡＳラインの信号は「０」を維持する。
ＣＰＵＳＥＬＦ制御信号は、ＳＥＬＦＭＯＤＥ〔０〕が「１」になっている場合に、ＡＳｉＣＲＡＳ、ＡＳｉＣＣＡＳラインの信号が「０」になった後一定時間後に「１」から「０」になる。これにより第１ＤＲＡＭ２の制御は画像表示制御部８からＣＰＵ１に切り換えて行われる。
【００２６】
ＤＲＡＭＣＡＳ、ＤＲＡＭＲＡＳラインの信号はリフレッシュモード開始時にＡＳｉＣＲＡＳ、ＡＳｉＣＣＡＳラインの信号と同時に「１」から「０」になる。スイッチ１２がオフになり、画像表示制御部８の電源供給停止になっても、ＤＲＡＭＣＡＳ、ＤＲＡＭＲＡＳラインの信号は安定となり、ＣＰＵＳＥＬＦ制御信号によりＡＳｉＣＲＡＳ、ＡＳｉＣＣＡＳラインの信号のように不安定とならない。
【００２７】
第１ＤＲＡＭ２は、ＤＲＡＭＣＡＳ、ＤＲＡＭＲＡＳラインの信号が「１」から「０」になってから約１００μｓｅｃ後にセルフリフレッシュを行う。
次に、電源投入時について説明する。電源投入時には画像表示制御部８は通常モード、表示モード、リフレッシュモードの制御を行おうとする。しかし、第１ＤＲＡＭ２がセルフリフレッシュモードになっているので、画像表示制御部８はこれらのモードの処理を行うことができない。このため、セルフリフレッシュモードを、以下の如く、解除する必要がある。
【００２８】
図６は電源投入時のシーケンスを説明する図である。本図に示す如く、信号名ＳＥＬＦ−ＳＴＡＲＴ〔０〕が「０」のときに、ＡＣＣスイッチ１１（スイッチ１２も含む）がオフからオンにされると、ＡＣＣスイッチ１１を監視しているＣＰＵ１によりアドレス０ｘ５０００２０の内部レジスタのＳＥＬＦ−ＳＴＡＲＴ〔０〕が「０」から「１」に設定され第１ＤＲＡＭ２のセルフリフレッシュモードへの遷移が開始される。
【００２９】
リフレッシュモード前にＯＳＤ（On Screen Display)タイミングの入力があると、表示モードが開始する。
ＡＳｉＣＲＡＳ、ＡＳｉＣＣＡＳラインの信号はリフレッシュモード時に「１」から「０」になり、前述と同様に、ＡＳｉＣＣＡＳラインの信号がＡＳｉＣＲＡＳラインの信号よりも先に「０」となる。これによりリフレッシュモードに遷移する。
【００３０】
ＳＥＬＦＭＯＤＥ〔０〕は、信号名ＳＥＬＦ−ＳＴＡＲＴ〔０〕が「１」のときに、リフレッシュモードが終了したら、「０」から「１」となる。セルフリフレッシュモードに遷移する。
ＣＰＵＳＥＬＦ制御信号は、ＳＥＬＦＭＯＤＥ〔０〕が「１」になっている場合に、「０」から「１」になり、ＣＰＵ１の制御から画像表示制御部８の制御に移る。
【００３１】
その後、ＳＥＬＦＥＮＤ〔０〕が「０」から「１」になり、セルフリフレッシュモードが終了し、リフレッシュモードになる。これに伴ってＳＥＬＦＭＯＤＥ〔０〕は「１」から「０」に戻る。
ＡＳｉＣＲＡＳ、ＡＳｉＣＣＡＳラインの信号はリフレッシュモード時に「０」から「１」になり、これに伴って、ＤＲＡＭＣＡＳ、ＤＲＡＭＲＡＳラインの信号が「０」から「１」になり、リフレッシュモードが終了する。
【００３２】
ＳＥＬＦＥＮＤ〔０〕が「１」なら「０」になり、リフレッシュモードが終了し通常モードに入る。
図７は本発明に係る通常モード、表示モード、リフレッシュモード、セルフリフレッシュモードの関係を説明する図である。本図に示す如く、通常モード、表示モードの処理が行われているときに、一定の間隔でリフレッシュモードになり、電源供給停止時にＳＥＬＦＳＴＡＲＴ〔０〕でリフレッシュモードからセルフリフレッシュモードに移り、電源投入時にＳＥＬＦＥＮＤ〔０〕でセルフリフレッシュモードからリフレッシュモードに戻り、通常モード等の処理が行われる。なお、通常モードからセルフリフレッシュモードに移ることは禁止され、また、セルフリフレッシュモードから通常モードに移ることは禁止されている。
【００３３】
したがって、本発明によれば、画像表示制御部８に何ら仕様の変更を加えることなく、第１ＤＲＡＭの電源供給停止時のセルフリフレッシュが可能になり、且つ電源投入時のセルフリフレッシュの解除が可能になった。
図８は図３の第１ＤＲＡＭ２の別の外部回路２Ｂの例を説明する図である。本図（ａ）に示す如く、外部回路２Ｂは、直接バッテリ１０に接続されており、ＣＰＵ１の出力信号であるＣＰＵＳＥＬＦ制御信号と画像表示制御部８の出力信号であるＡＳｉＣＣＡＳラインの信号を入力する論理和回路３１と、画像表示制御部８の出力信号であるＡＳｉＣＲＡＳラインの信号を入力する反転回路３２と、論理和回路３１の出力信号を反転回路３２の出力信号でラッチを行うフリップフロップ（ＦＦ）３３と、ＡＳｉＣＣＡＳライン及びフリップフロップ３３の出力信号を入力し第１のＤＲＡＭにＤＲＡＭＣＡＳ信号を出力する論理積回路３４と、ＡＳｉＣＲＡＳライン及びフリップフロップ３３の出力信号を入力し第１のＤＲＡＭにＤＲＡＭＲＡＳ信号を出力する論理積回路３５とを具備する。
【００３４】
本図（ｃ）に示す如く、ＣＰＵＳＥＬＦ信号及びＡＳｉＣＣＡＳラインの信号の論理和信号とＡＳｉＣＲＡＳラインの反転信号とがフリップフロップ３３を経由して図３のＣＰＵ１のＣＰＵＳＥＬＦ信号を形成する。したがって、画像表示制御部８の内部レジスタを用いないで、セルフリフレッシュモードの形成が可能になる。さらに、画像表示制御部８の電源供給停止時にも、フリップフロップ３３がラッチされたままであるので、セルフリフレッシュノードが不定とならない。
【００３５】
【発明の効果】
以上の説明により本発明によれば、特定用途向け集積回路により形成される画像表示制御部の仕様を変えずに、ダイナミックＲＡＭをセルフリフレッシュモードにすることが可能になった。スタチックＲＡＭに代わってダイナミックＲＡＭが使用可能になったので、コストが大幅に低減することが可能になった。
【図面の簡単な説明】
【図１】本図１は本発明に係る車載用ＡＶ一体機を示す概略図である。
【図２】図２は第１ＤＲＡＭ２に格納されるデータ例を示す図である。
【図３】図３は図１の第１ＤＲＡＭ２の外部回路２Ａを説明する図である。
【図４】図４は車載用ＡＶ一体機の全体アドレスマップを示す図である。
【図５】図５は電源供給停止時のシーケンスを説明する図である。
【図６】図６は電源投入時のシーケンスを説明する図である。
【図７】図７は本発明に係る通常モード、表示モード、リフレッシュモード、セルフリフレッシュモードの関係を説明する図である。
【図８】図８は図３の第１ＤＲＡＭ２の別の外部回路２Ｂの例を説明する図である。
【図９】図９はダイナミックＲＡＭのセルフリフレッシュを説明する図である。
【符号の説明】
１…ＣＰＵ
２…第１ＤＲＡＭ
２Ａ、２Ｂ…外部回路
８…画像表示制御部
８Ａ…内部レジスタ
１０…バッテリ
１１…アクセサリスイッチ
１２…スイッチ
【図１】
0003727177.tif 000003
【図２】
0003727177.tif 000004
【図３】
0003727177.tif 000005
【図４】
0003727177.tif 000006
【図５】
0003727177.tif 000007
【図６】
0003727177.tif 000008
【図７】
0003727177.tif 000009
【図８】
0003727177.tif 000010
【図９】
0003727177.tif 000011